(57)【要約】【課題】マッサージ効果の高い回転式のマッサージ体を備えた足裏マッサージ器において、足腰の弱い高齢者が確実に施療行為を行えるようにする。【解決手段】床面に設置される枠体２ａ，２ｂの上面部に外周面が凹凸に形成されたマッサージ体４が回転自在に保持され、該マッサージ体の上に足を載せて足裏をマッサージするようにした足裏マッサージ器１Ａに対し、枠体２ａ，２ｂに被施療者が手で掴んで身体を支えるための補助具９を取り付ける。被施療者は、手で補助具９を掴んで身体を支えながら、マッサージ体４の上に両足裏を載せ、その状態で両足を前後に動かしてマッサージ体４を回転させることにより、マッサージ体４の外周面に形成されている凹凸により足裏のマッサージを安定して行うことができる。【選択図】図１
0003111752.tif 000002
【実用新案登録請求の範囲】
【請求項１】
床面に設置される枠体の上面部に外周面が凹凸に形成されたマッサージ体が回転自在に保持され、該マッサージ体の上に足を載せて足裏をマッサージする足裏マッサージ器であって、前記枠体に被施療者が手で掴んで身体を支えるための補助具を取り付けたことを特徴とする足裏マッサージ器。
【請求項２】
補助具がその基部を支点にして枠体に対して揺動可能である請求項１に記載の足裏マッサージ器。
【請求項３】
補助具が枠体に対して着脱可能である請求項１又は２に記載の足裏マッサージ器。
【考案の詳細な説明】
【技術分野】
【０００１】
この考案は、足腰の弱い高齢者が使用するのに適した安全確実に足裏をマッサージすることのできる足裏マッサージ器に関する。
【背景技術】
【０００２】
足裏には各臓器と連係する神経のツボが集中しており、ここをマッサージにより刺激すると各臓器の働きが活性化して健康増進に効果があることが知られている。そのような健康増進を目的とした健康器具として、外周面が凹凸に形成されたボール状やローラー状のマッサージ体の上に足を載せ、足を前後に動かしてマッサージ体を回転させながら足裏をマッサージするもの（例えば特許文献１、２）がある。
【特許文献１】特開２００４―１６７５６号公報
【特許文献２】特開２００１―２８６５２３号公報
【考案の開示】
【考案が解決しようとする課題】
【０００３】
この種の足裏マッサージ健康器具で施療する場合、有効な施療効果を得るためにはある程度以上の圧力を足裏にかける必要があるが、ボールやローラー等の回転体の上で自分の好む部位に足裏を位置させてマッサージ効果を発揮させる場合、使用者が足腰の弱った高齢者の場合には不安定になりがちであった。
【０００４】
本考案は、上記事情に鑑みなされたもので、マッサージ効果の高い回転式のマッサージ体を備えた足裏マッサージ器において、足腰の弱った高齢者が確実に施療行為を行えるようにすることを課題としている。
【課題を解決するための手段】
【０００５】
上記課題を解決するために、本考案は次の構成とした。すなわち、請求項１に記載の足裏マッサージ器は、床面に設置される枠体の上面部に外周面が凹凸に形成されたマッサージ体が回転自在に保持され、該マッサージ体の上に足を載せて足裏をマッサージする足裏マッサージ器であって、前記枠体に被施療者が手で掴んで身体を支えるための補助具を取り付けたことを特徴としている。
【０００６】
被施療者は、手で補助具を掴んで身体を支えながら、マッサージ体の上に両足を載せる。その状態で、両足を前後に動かしてマッサージ体を回転させる。マッサージ体が回転する際に、マッサージ体の外周面に形成されている凹凸により足裏がマッサージされる。補助具を手で掴んでいるため、姿勢が安定し、マッサージ体から足が外れることが防止される。また、姿勢が安定することにより、足の裏を適正にマッサージ体に押し付けることができるので、常に良好な状態で施療行為を行うことができる。
【０００７】
請求項２に記載されているように、補助具がその基部を支点にして枠体に対して揺動可能である構成とすれば、施療時に上体が揺れた場合でもバランスをとりやすい。
【０００８】
また、請求項３に記載されているように、補助具が枠体に対して着脱可能である構成とすれば、不使用時にはコンパクトにすることができ、収納が容易である。
【考案の効果】
【０００９】
本考案にかかる足裏マッサージ器は、手で掴んで身体を支える補助具を設けることにより、回転自在に保持されたマッサージ体の上に安定した状態で足裏を載せることができるので、大きなマッサージ効果が得られるとともに、高齢者のように足腰が弱い人でも確実に施療行為を行えるようになった。
【考案を実施するための最良の形態】
【００１０】
外周面が凹凸に形成されたマッサージ体として、ゴルフボールのロストボールを有効利用する。
【実施例１】
【００１１】
図１は実施例１の斜視図であって、この足裏マッサージ器１Ａは、枠体を構成する一対の架台２ａ，２ｂ間に断面円形をした３本の支持軸３（３ａ，３ｂ，３ｃ）を架け渡して設け、各支持軸にゴルフボール４を５個ずつ回転自在に支持させて、これをマッサージ体としている。中央の支持軸３ｂは両側の支持軸３ａ，３ｃよりも若干高い位置に設けられている。また、中央の支持軸３ｂに支持されているゴルフボール４と両側の支持軸３ａ，３ｃに支持されているゴルフボール４とは、半ピッチ分だけ位置をずらしてある。
【００１２】
各ゴルフボール４は、その中心を通るように穿設された通孔（図示せず）に支持軸３を挿通することにより回転自在に支持されるとともに、止めリング６により支持軸３の軸方向への移動が規制されている。マッサージ体用のゴルフボールとしてゴルフ場などで発生するロストボールを使用すれば経済的である。
【００１３】
一方の架台２ａの外面部には、下記の補助具９を取り付けるための筒体７が水平方向の軸８回りに回動自在に設けられている。補助具９は、長尺な柄の先端部にグリップ９ａを嵌着してなるもので、その基部を筒体７挿入して取り付ける。なお、補助具９を両方の架台２ａ，２ｂの外面部に設けてもよい。
【００１４】
次に、この足裏マッサージ器１Ａの使用方法を説明する（図２参照）。
被施療者は、手で補助具９のグリップ９ａを掴んで身体を支えながら、マッサージ体である複数のゴルフボール４の上に両足裏を載せる。足裏のアーチ形状に合わせて各支持軸３の高さを設定してあるので、各ゴルフボール４により足裏各部に適正な圧力が加わる。その状態で、両足を前後に動かしてゴルフボール４を回転させる。ゴルフボール４が回転する際に、ゴルフボール４の外周面に形成されている凹凸により足裏がマッサージされる。中央のゴルフボール４と前後のゴルフボール４とで半ピッチ分だけ位置をずらしてあるので、両足を前後に動かすことにより、始めに隣接する一対のゴルフボール４，４の間隔部に位置していた箇所も良好にマッサージされる。
【００１５】
この施療行為の際、手で補助具９のグリップ９ａを掴んで身体を支えているので、安定した姿勢を維持することができ、ゴルフボール４から足が外れることがない。また、姿勢が安定していることにより、足の裏をゴルフボール４に適正に押し付けることができるので、常に良好な状態で施療行為を行える。施療行為中に上体が揺れた場合には、補助具９をその基部を支点にして回動させると、上体のバランスをとりやすい。補助具９は筒体７に対し着脱可能であるので、足裏マッサージ器１Ａを使用しないときには、補助具９を外してコンパクトに収納することができる。
【実施例２】
【００１６】
図３は実施例２の斜視図であって、この足裏マッサージ器１Ｂは、上面が足裏の形状に合わせてアーチ状に形成された箱状の枠体１０を備え、その枠体１０の上面に形成された開口部１１から上部が突出するようにマッサージ体である複数のゴルフボール４が設けられている。各ゴルフボール４は、枠体１０内部に設けた図示しない保持体の半球状凹部に下部が収容されており、平面視で３６０度いずれの方向にも自由に回転できるようになっている。また、前記開口部１１の直径はゴルフボール４の直径よりも小さいので、ゴルフボール４が枠体１０から逸脱しないようになっている。ゴルフボール４は、６個の列と５個の列とに配列されている。そして、両列のゴルフボール４は互いに半ピッチ分だけ位置をずらしてある。
【００１７】
枠体１０の両端面には、下記の補助具１４を取り付けるための筒体１２，１２が金具１３，１３によって固定して設けられている。補助具１４は、一対の垂直部１４ａ，１４ａと、その垂直部の上端から前方に延びる水平部１４ｂ，１４ｂと、その水平部の先端同士を連結する連結部１４ｃとからなり、垂直部１４ａ，１４ａの下端部を筒体１２，１２に挿入して取り付ける。
【００１８】
次に、この足裏マッサージ器１Ｂの使用方法を説明する（図４参照）。
被施療者は、両手で補助具１４の連結部１４ｃを掴んで身体を支えながら、枠体１０の上面の上に両足裏を載せる。枠体１０の上面よりも突出しているゴルフボール４によって、足裏の各部が圧迫される。その状態で両足を前後に動かしてゴルフボール４を回転させることにより、ゴルフボール４の外周面に形成されている凹凸によって足裏がマッサージされる。６個列のゴルフボール４と５個列のゴルフボール４とで半ピッチ分だけ位置をずらしてあるので、両足を前後に動かすことにより、始めに隣接する一対のゴルフボール４，４の間隔部に位置していた箇所も良好にマッサージされる。
【００１９】
この施療行為の際、両手で補助具１４の連結部１４ｃを掴んで身体を支えているので、安定した姿勢を維持することができ、枠体１０の上面から足が外れることがない。また、上肢に力を入れて上体を移動することにより、足裏を圧迫する圧力を調節することができる。補助具１４は筒体１２，１２に対し着脱可能であるので、足裏マッサージ器１Ｂを使用しないときには、補助具１４を外してコンパクトに収納することができる。
【００２０】
上記した実施例１，２のタイプは、補助具を外すことにより、足裏のみならず、肩や腰等の他の凝りやすい部位にうまく当接するようにして使用することもできる。
【産業上の利用可能性】
【００２１】
上記実施例１，２に示す足裏マッサージ器は主に足裏を揉み解すマッサージ効果によって施療するものであるが、本考案によるところの補助具を設けるという構成は、主に足裏のツボを圧迫して施療する健康器具にも適用することができる。
【図面の簡単な説明】
【００２２】
【図１】足裏マッサージ器の斜視図である。（実施例１）
【図２】足裏マッサージ器の使用状態を示す正面図である。（実施例１）
【図３】足裏マッサージ器の斜視図である。（実施例２）
【図４】足裏マッサージ器の使用状態を示す正面図である。（実施例２）
【符号の説明】
【００２３】
１Ａ，１Ｂ  足裏マッサージ器
２ａ，２ｂ  架台（枠体）
３ａ，３ｂ，３ｃ  支持軸
４  ゴルフボール（マッサージ体）
７，１２  筒体
９，１４  補助具
１０  枠体
【図１】
0003111752.tif 000003
【図２】
0003111752.tif 000004
【図３】
0003111752.tif 000005
【図４】
0003111752.tif 000006